(57)【要約】【課題】認証端末による利用者の認証の際に、管理端末にかかる負担を低減することを可能とする認証システム、及び、この認証システムを用いた集合住宅管理システムの実現を目的とする。【解決手段】利用者の認証を行う際に、認証端末にて照合不一致となった場合、管理端末より認証端末に照合データを受信して、認証端末の照合データを更新するとともに、更新された照合データを用いて再度認証端末にて照合を行う。これにより、照合の不一致を機に認証端末の照合データを管理端末に同期することができ、また、照合処理は認証端末にて行うため管理端末に大きな負担をかけることなく照合処理を実行する。【選択図】  図４
2004304639.tif 000002
【特許請求の範囲】
【請求項１】
照合データを記憶する記録部と前記照合データに基づき利用者を照合する照合制御部とを備えた認証端末と、
管理データを保持するＩＤ管理部を備えた管理端末と、
を具備する認証システムであって、
前記照合制御部は、前記照合が不一致であったときに前記管理端末と通信し前記ＩＤ管理部が保持する管理データを受信するとともに、該受信した管理データに基づき前記記憶部の照合データを更新することを特徴とする認証システム。
【請求項２】
前記照合制御部は、前記照合データを更新すると、該更新した照合データを用いて再度利用者を照合する請求項１記載の認証システム。
【請求項３】
各住戸に設けられた住戸端末と、管理室などに設けられる管理端末とで通信を行う集合住宅管理システムにおいて、
前記住戸端末は、
前記管理端末と通信する住戸側通信部と、
照合データを記憶する住戸側記憶部と、
識別番号を入力する入力部と、
前記入力部より入力された識別番号を前記照合データに基づき照合する照合部と、
前記照合部による照合が不一致であった場合、前記管理端末に管理データを要求するデータ要求部と、
前記管理端末から受信した管理データに基づき前記照合データを更新するデータ登録部と、
を備え、
前記管理端末は、
前記住戸端末と通信する管理側通信部と、
管理データを記憶する管理側記憶部と、
前記住戸端末からの要求に基づき前記住戸端末に管理データを送信するデータ管理部と、
を備えることを特徴とする集合住宅管理システム。
【発明の詳細な説明】
【０００１】
【発明の属する技術分野】
本発明は、利用者の認証を行う認証システム、及び、この認証システムを用いて集合住宅の各住戸毎に利用者の認証を行う集合住宅管理システムに関するものである。
【０００２】
【従来の技術】
従来、利用者の認証を行う認証システムにおいて、複数の認証端末を備え、各々の認証端末毎に予め利用者の照合データを登録しておき、各認証端末毎に前記照合データを用いて利用者の認証を行うものが知られている。しかし、上記従来の認証システムでは、複数の認証端末へのデータ登録／変更が発生した場合に、各々の認証端末毎に個別にデータ登録作業を行う必要があり、手間がかかっていた。
特に、この認証システムを、集合住宅管理システムにおいて採用した場合、認証端末となる住戸端末毎に各住戸内に入室して照合データを登録／変更する必要があり、入退去の入れ替わりが多い賃貸用集合住宅においては管理者に大きな負担がかかることとなる。
【０００３】
また、通信ネットワークの分野ではあるが、特許文献１に示すようなユーザ認証方法も知られている。
このユーザ認証方法は、アクセスサーバにより利用者を認証し、認証ＯＫであればアクセスサーバを介して他のネットワークに接続するネットワークシステムにおける認証方法であって、アクセスサーバによる認証がＮＧの場合は、アクセスサーバから認証サーバに認証要求して認証サーバにて認証を行う。認証サーバによる認証がＯＫであれば、アクセスサーバが保持する認証データに当該利用者のＩＤ情報を追加登録する。
【０００４】
【特許文献１】
特開平１１−３５５２６６号公報
【０００５】
【発明が解決しようとする課題】
しかしながら、上述した従来のユーザ認証方法では、アクセスサーバで利用者の認証がＮＧであった場合に、認証サーバにて当該利用者の認証を行う構成となっているため、認証サーバに負荷が集中してしまうというおそれがあった。特に、複数のアクセスサーバより認証要求が集中した場合には、認証サーバに大きな負担がかかり、処理が遅延又は停滞してレスポンスの悪化を招くという問題点があり、使い勝手がわるかった。
【０００６】
そこで本発明は、上記課題を解消するために、管理端末にかかる負担を低減するとともに、煩雑な作業を低減させ使い勝手を向上させた認証システム、及び、この認証システムを用いた集合住宅管理システムを提供することを目的としている。
【０００７】
【課題を解決するための手段】
上記目的を達成するため第一の発明は、認証端末と、該認証端末と接続される管理端末とを備え、前記認証端末にて利用者を照合する認証システムにおいて、前記照合が不一致であったとき、前記認証端末は、前記管理端末に管理データを要求し、前記管理端末の保持する管理データを受信して、該受信した管理データにて認証端末が保持する照合データを更新する認証システムを提供する。
【０００８】
かかる認証システムは、認証端末にて照合不一致となった場合に管理端末より管理データを受信して認証端末の照合データを更新する。これにより、照合の不一致を機に認証端末の照合データと管理端末の管理データとの整合を図ることができ、認証端末による以後の照合を高速に行うことができる。
【０００９】
また、好ましくは、前記認証端末は、前記管理端末より管理データを受信して照合データを更新すると、当該更新した照合データで利用者を再度照合する。
これにより、認証端末にて照合不一致となると、認証端末は照合データを更新し、再度照合を行うこととなり、管理端末に大きな負担をかけることなく、確実な認証を行うことができる。
【００１０】
さらに、第二の発明は、各住戸に設けられた住戸端末と、該住戸端末と接続されて管理室などに設けられる管理端末とで構成される集合住宅管理システムにおいて、前記住戸端末は、前記管理端末と通信する住戸側通信部と、入力されたＩＤコードを判別するＩＤ判別部と、照合データを記憶する住戸側記憶部と前記照合データに基づき前記ＩＤコードの照合を行う照合部と、前記照合部による照合が不一致であった場合、前記管理端末に管理データを要求するデータ要求部と、前記管理端末から受信した管理データに基づき前記照合データを更新するデータ登録部と、を備え、前記管理端末は、前記住戸端末と通信する管理側通信部と、照合データを記憶する管理側記憶部と、前記住戸端末からの管理データの要求に基づき住戸端末に管理データを送信するデータ管理部と、を備える集合住宅管理システムを提供する。
これにより、集合住宅用のセキュリティシステムにおいて、照合処理は住戸端末で行うとともに必要に応じて照合データを更新することとなり、管理端末の負担を増加することなく利用者の認証を行うことができ、煩雑な作業を低減して使い勝手を向上させることが可能となる。
【００１１】
【発明の実施の形態】
以下、本発明による認証システムを適用した本発明の集合住宅管理システムの実施形態を図面を参照して具体的に説明する。
図１は本発明の集合住宅管理システムを示す構成図である。
集合住宅管理システムは、アパートなどの集合住宅１において、認証端末として各住戸２に配置される住戸端末２０と、管理室３に配置される管理端末３０とを無線接続して概略構成される。
【００１２】
図２は住戸端末２０の構成を示すブロック図である。
住戸端末２０は、制御部２１と、これに接続される記憶部２３、入力部２４、ＩＤ判別部２５、通信部２６、表示部２８、検知部２９とから構成される。これらの各部分は、電源部２７から電力の供給を受けて動作する。
制御部２１はＣＰＵで構成される。制御部２１は、利用者のＩＤ照合を行う照合制御手段２２を有している。
記憶部２３には、制御部２１を集合住宅管理システムの住戸端末として動作させるためのプログラム及び利用者のＩＤデータ（住戸側ＩＤデータ）等が記憶される。なお、住戸２において複数の利用者がある場合、記憶部２３には複数のＩＤデータが記憶されることとなる。
【００１３】
入力部２４はカードリーダとボタン等で構成され、ＩＤコードの入力や設定モードの切替操作等を行う。
ＩＤ判別部２５は、入力部２４より入力されたＩＤコードを判別して照合制御手段２２に出力する。
通信部２６は、特定小電力無線にて管理端末３０との間で通信を行う。
電源部２７は、バッテリにて構成され、住戸端末２０に電力を供給する。
表示部２８は、表示灯、スピーカなどにより構成される。
検知部２９には、煙感知器、熱感知器、ガス漏れ検知センサ、非常通報ボタン、侵入センサなどの各種センサが接続される。
【００１４】
図３は管理端末３０の構成を示すブロック図である。
管理端末３０は、制御部３１と、これに接続される記憶部３４、入力部３５、ＩＤ判別部３６、通信部３７、表示部３８とから構成される。これらの各部分は、電源部３９から電力の供給を受ける。
制御部３１はＣＰＵで構成される。制御部３１は、利用者のＩＤコードを認証する照合手段３２と、各住戸端末２０及び管理端末３０のＩＤデータを管理するＩＤ管理手段３３とを有している。
記憶部３４には、制御部３１を集合住宅管理システムの集中監視装置として動作させるプログラム及び各住戸端末２０及び管理端末３０のＩＤデータ（管理側ＩＤデータ）等が記憶される。
【００１５】
入力部３５はカードリーダとボタン等で構成され、ＩＤコードの入力や設定モードの切替操作等を行う。
ＩＤ判別部３６は、入力部３５より入力されたＩＤコードを判別して照合手段３２に出力する。
通信部３７は、各住戸２の住戸端末２０又は遠隔の監視センタ４との間で通信を行う。なお、通信部は、各住戸２の住戸端末２０とは特定小電力無線にて無線接続される。また、遠隔地にある監視センタ４と接続されるときは、通信部３７は電話回線などの公衆回線網５に接続される。
表示部３８は、表示灯、スピーカなどにより構成される。
電源部３９は、商用電源と接続されて管理端末３０に電力を供給する。また、電源部３９は図示しないバッテリを備え、停電時にはバッテリによる電力供給を行う。
【００１６】
次に、上記のように構成された集合住宅管理システムの動作について説明する。
住戸端末２０は防犯防災端末として機能する。火事、ガス漏れ、その他の非常状態が発生すると、検知部２９によりこれが検知され、住戸端末２０は通信部２６を介して管理端末３０に異常信号を送信する。
また、住戸端末２０は、入力部２４に挿入されたＩＤカードのＩＤコードを認証して、制御部２１の設定モードを切替える。住戸端末２０は設定モードとして、検知部２９により戸内の警備を監視状態とする警備セットモードと、警備が解除された状態となる警備解除モードとを備えている。そして、警備セットモード中に侵入者を検出すると管理端末３０に異常信号を送信する。
【００１７】
管理端末３０は、入力部３５に挿入されるＩＤカードのＩＤコードを認証して、制御部３１の設定モードを切替える。管理端末３０は設定モードとして、操作入力が制限された通常モードと、管理端末３０への各種設定入力が可能となる保守モードとを備えている。
また、管理端末３０は、住戸端末２０より異常信号を受信すると通信部３７より公衆回線網５を介して遠隔の監視センタ４に異常信号を通報する。監視センタ４ではこの異常信号を受信して、警備員の派遣などの必要な措置をとる。
【００１８】
以上説明した集合住宅管理システムの動作は、従来より知られたものであり、種々の実現方法が提案されている。したがって、ここでの詳細な説明は省略する。
【００１９】
本例の集合住宅管理システムでは、管理端末３０は、管理側ＩＤデータとして、管理端末３０、及び、各住戸端末２０毎のＩＤデータを記憶部３４に記憶している。管理側ＩＤデータは、管理端末３０の設定モードを保守モードに設定することで登録、編集することが可能となる。管理側ＩＤデータを編集するとき、管理端末３０の利用者は入力部３５にＩＤカードを挿入して管理端末３０に自身のＩＤコードを入力する。
【００２０】
入力部３５にＩＤカードが入力されるとＩＤ判別部３６にてＩＤコードが判別され照合手段３２にて認証が行われる。認証の結果、照合不一致であれば処理を終了する。他方、照合一致であれば、設定モードを保守モードに切替えることが可能となる。そして、管理端末３０を保守モードに設定し、該当する住戸２のＩＤデータを登録、編集する。ＩＤデータの入力は入力部３５へのＩＤカードの挿入によって行う。管理端末３０のＩＤ管理手段３３は、入力されたＩＤデータを各住戸端末２０に対応させ管理側ＩＤデータとして記憶部３４に記憶する。そして、管理端末３０の利用者は、必要に応じて、新規に登録されたＩＤカードを該当する利用者に供与する。
【００２１】
住戸端末２０の利用者は、外出時又は帰宅時などに、ＩＤカードを用いて住戸端末２０を操作して設定モードの切替えを行う。入力部２４にＩＤカードが挿入されると、住戸端末２０は、記憶部２３に記憶する住戸側ＩＤデータを用いて利用者の認証を行う。認証の結果が照合不一致であった場合、管理端末３０にＩＤデータ要求信号を送出する。管理端末３０は、住戸端末２０よりＩＤデータ要求信号を受信すると、当該住戸端末２０に対応した全ての管理側ＩＤデータを住戸端末２０に送信する。住戸端末２０は、管理端末３０より管理側ＩＤデータを受信すると、記憶部２３に保持している全ての住戸側ＩＤデータを消去し、受信した管理側ＩＤデータを新たに住戸側ＩＤデータとして記憶部２３に登録する。そして、新たに登録した住戸側ＩＤデータを用いて再度利用者の認証を行う。認証の結果、照合一致であればその旨を出力し、利用者による設定モード切替を受け付ける。照合不一致であればその旨を出力し、処理を終了する。
【００２２】
以下、図４に示すフローチャートを用いて住戸端末２０によるＩＤ認証時の照合制御手段２２の動作を説明する。以下の動作は所定間隔で繰り返し実行される。利用者は、入力部２４にＩＤカードを挿入することによりＩＤコードの入力を行う。入力部２４にＩＤカードが挿入されると、ＩＤ判別部２５は当該カードのＩＤコードを判別して照合制御手段２２に出力する。
【００２３】
照合制御手段２２はＩＤコードの入力待ち受け状態にある（ステップＳ１）。照合制御手段２２は、ＩＤ判別部２５よりＩＤコードが入力されると（ステップＳ１−Ｙｅｓ）、記憶部２３内の住戸側ＩＤデータを読み出してＩＤコードの照合を行う（ステップＳ２）。照合の結果、入力されたＩＤコードと住戸側ＩＤデータとが一致すれば（ステップＳ３−Ｙｅｓ）、制御部２１に認証ＯＫ信号を出力し（ステップＳ４）処理を終了する。制御部２１は、照合制御手段２２より認証ＯＫ信号が入力されると、表示部２８より認証ＯＫの旨を出力して、利用者による設定モード切替を受け付ける。
他方、入力されたＩＤコードと住戸側ＩＤデータとが照合不一致であった場合（ステップＳ３−Ｎｏ）、通信部２６を介して管理端末３０に要求信号を送信する（ステップＳ５）。そして、管理側ＩＤデータの受信を待ち受ける（ステップＳ６）。
【００２４】
照合制御手段２２は、通信部２６を介して管理側ＩＤデータを受信すると（ステップＳ６−Ｙｅｓ）、記憶部２３内の住戸側ＩＤデータ全てを消去処理し、受信した管理側ＩＤデータを住戸側ＩＤデータとして記憶部２３内に登録する（ステップＳ７）。そして、新たに登録した住戸側ＩＤデータを用いて、入力されているＩＤコードの照合を行う（ステップＳ８）。
照合の結果、入力されたＩＤコードと住戸側ＩＤデータとが一致すれば（ステップＳ９−Ｙｅｓ）、制御部２１に認証ＯＫ信号を出力し（ステップＳ４）処理を終了する。
他方、入力されたＩＤコードと住戸側ＩＤデータとが再度照合不一致であった場合（ステップＳ９−Ｎｏ）、制御部２１に認証ＮＧ信号を出力し（ステップＳ１０）処理を終了する。制御部２１は、照合制御手段２２より認証ＮＧ信号が入力されると、表示部２８より認証ＮＧの旨を出力して、利用者の認証を終了する。
【００２５】
次に、図５を用いて住戸端末２０より要求信号を受信したときの管理端末３０のＩＤ管理手段３３の動作を説明する。以下の動作は所定間隔で繰り返し実行される。
通信部３７は、住戸端末２０より要求信号を受信すると、この要求信号をＩＤ管理手段３３に出力する。
ＩＤ管理手段３３は要求信号の入力待ち受け状態にある（ステップＳ２０）。ＩＤ管理手段３３は、通信部３７より要求信号が入力されると（ステップＳ２０−Ｙｅｓ）、記憶部３４より該当する住戸端末２０の管理側ＩＤデータを読み出す（ステップＳ２１）。そして、読み出した管理側ＩＤデータを、通信部３７を介して該当する住戸端末２０に送信して（ステップＳ２２）処理を終了する。
【００２６】
なお、以上説明した実施形態では、照合の不一致を機に住戸端末２０より管理端末３０に要求信号を送出して管理側ＩＤデータを受信する構成となっているが、これに加えて、所定時間毎に住戸端末２０より管理端末３０に要求信号を送出して管理側ＩＤデータを受信する構成としてもよい。また、管理端末３０の入力部３５を操作することにより管理側ＩＤデータを住戸端末２０に送信して住戸端末２０の住戸側ＩＤデータを更新する構成としてもよい。
【００２７】
また、以上説明した実施形態では、ＩＤデータの登録、編集は管理端末３０にて行う構成となっていたが、更に、住戸端末２０からもＩＤデータの登録、編集が行える構成としてもよい。この場合、管理端末３０と同様に、住戸端末２０をＩＤカードにより保守モードに切替えて、ＩＤデータの登録、編集を行う。登録、編集されたＩＤデータは管理端末３０に送信され、ＩＤ管理手段３３により住戸端末２０と対応付けられて記憶部３４に記録される。
【００２８】
以上説明したように、本発明による認証システムを適用した集合住宅管理システムによれば、認証端末となる住戸端末２０にて照合不一致となった場合に、管理端末３０よりＩＤデータ（管理側ＩＤデータ）を受信して住戸端末２０のＩＤデータ（住戸側ＩＤデータ）を更新するとともに、更新されたＩＤデータを用いて再度住戸端末２０にて利用者の認証を行う。
これにより、認証の不一致を機に住戸端末２０のＩＤデータを管理端末３０と同期することができ、住戸端末２０のＩＤデータを最新の状態に保つことができる。
また、利用者の照合処理は住戸端末２０にて行うため管理端末３０に大きな負担をかけることなく利用者の認証を行うことができる。
【００２９】
また、本実施形態による集合住宅管理システムによれば、住戸端末２０にて照合不一致となった場合に、管理端末３０が保持するＩＤデータを受信する構成となっているため、入退去の入れ替わりが多い賃貸用集合住宅であっても、住戸端末２０のＩＤデータは、管理端末３０にて登録編集するだけでよく、入退去が発生する都度住戸端末２０にて操作を行う必要も無く、利用者の使い勝手が格段に向上する。
【００３０】
さらに、本実施形態による集合住宅管理システムによれば、住戸端末２０の電源部２７をバッテリにて構成し、住戸端末と管理端末との間を無線接続する構成としたので、既築の物件に対しても美観を損なうことなく、容易に設置することができる。
また、住戸端末２０による照合が不一致であった場合に記憶部２３のＩＤデータを最新のＩＤデータに更新する構成としたので、以降はこの更新されたＩＤデータにて照合を行うことができ、照合の都度、住戸端末と管理端末とで通信を行う必要もなく通信の回数を必要最小限にすることができ、バッテリの消費を抑えることが可能となる。
なお、住戸端末２０にて多量の電力を必要とする場合には、電源部２７を商用電源に接続し安定して電力を得る構成としても良い。
【００３１】
【発明の効果】
以上説明したように本発明による認証システムは、認証端末にて照合不一致となった場合に、管理端末より管理データを受信して認証端末の照合データを更新するとともに、更新された照合データを用いて再度認証端末にて照合を行うことにより、照合の不一致を機に認証端末の照合データを管理端末に同期することができ、また、照合処理は認証端末にて行うため管理端末に大きな負担をかけることなく照合処理を実行することができる。
【００３２】
また、本発明による集合住宅管理システムでは、管理端末の負担を増加することなく利用者の認証を行うことができ、煩雑な作業を低減させて使い勝手を向上させることが可能となる。
【図面の簡単な説明】
【図１】本発明の認証システムを適用した集合住宅管理システムを示す構成図。
【図２】図１の集合住宅管理システムにおける住戸端末の構成を示すブロック図。
【図３】図１の集合住宅管理システムにおける管理端末の構成を示すブロック図。
【図４】図２の住戸端末によるＩＤ認証時の照合制御手段の動作を示すフローチャート。
【図５】図３の管理端末による要求信号受信時のＩＤ管理手段の動作を示すフローチャート。
【符号の説明】
１…集合住宅、２…住戸、３…管理室、４…監視センタ、５…公衆回線網、２０…住戸端末、２１…住戸端末の制御部、２２…照合制御手段、２３…住戸端末の記憶部、２４…住戸端末の入力部、２５…住戸端末のＩＤ判別部、２６…住戸端末の通信部、２７…住戸端末の電源部、２８…住戸端末の表示部、２９…検知部、３０…管理端末、３１…管理端末の制御部、３２…照合手段、３３…ＩＤ管理手段、３４…管理端末の記憶部、３５…管理端末の入力部、３６…管理端末のＩＤ判別部、３７…管理端末の通信部、３８…管理端末の表示部、３９…管理端末の電源部。
【図１】
2004304639.tif 000003
【図２】
2004304639.tif 000004
【図３】
2004304639.tif 000005
【図４】
2004304639.tif 000006
【図５】
2004304639.tif 000007